(57)【要約】【課題】  実装部材を液晶パネルに高い信頼性の下に接続し、信号の伝送に必要な帯域を確保する。【解決手段】  液晶パネルＡＡは、第１〜第３端子群１０Ａ〜１０Ｃからなる端子群１０を備える。第１及び第３端子群１０Ａ及び１０Ｃには、駆動信号が供給される一方、第２端子群１０Ｂには画像信号が供給される。駆動信号は画像信号より高い周波数成分を含む。第１及び第３端子群１０Ａ及び１０Ｃの入力端子２０は、第２端子群２０の入力端子２０よりも面積が大きいので、接触抵抗が小さい。従って、駆動信号のなまりを防止できる。【選択図】      図４
2005092185.tif 000002
【特許請求の範囲】
【請求項１】
複数のデータ線と、複数の走査線と、前記データ線と前記走査線との交差に対応して設けられた複数の画素と、第１の入力信号が供給される第１の入力端子と、第２の入力信号が供給される第２の入力端子と、前記第１及び第２の入力信号に基づいて前記画素の階調を制御する駆動回路とを備えた電気光学パネルであって、
前記第１の入力信号は前記第２の入力信号に比べて高域周波数成分を含み、且つ前記第１の入力端子は前記第２の入力端子よりも面積が大きいことを特徴とする電気光学パネル。
【請求項２】
前記第１の入力端子は、前記第２の入力端子に比べて入力抵抗値が小さいことを特徴とする請求項１に記載の電気光学パネル。
【請求項３】
前記第１の入力信号は走査線駆動回路に供給される駆動信号であることを特徴とする請求項１又は２に記載の電気光学パネル。
【請求項４】
前記第２の入力信号は画像信号であることを特徴とする請求項１乃至３のいずれか１項に記載の電気光学パネル。
【請求項５】
基板上の基板端に沿って配置された前記第１の入力端子と前記第２の入力端子とは列状に形成されてなり、前記第２の入力端子が前記基板上の中央側に、前記第１の入力端子が前記基板上の外側に設けられていることを特徴とする請求項１乃至４のいずれか１項に記載の電気光学パネル。
【請求項６】
第３の入力端子をさらに有し、前記第３の入力端子は電源が供給される電源端子であり、前記第３の入力端子の面積は、前記第１の入力端子と同等あるいは前記第１の入力端子の面積よりも大きいことを特徴とする請求項１乃至５のいずれか一項に記載の電気光学パネル。
【請求項７】
前記第３の入力端子は、前記第１の入力端子あるいは前記第２の入力端子の隣り合う複数の端子を用いて構成されていることを特徴とする請求項６に記載の電気光学パネル。
【請求項８】
前記電源端子、前記第１の入力端子、前記第２の入力端子をそれぞれ複数含み、
前記複数の電源端子、前記複数の第１の入力端子及び前記複数の第２の入力端子が、基板上に列状に並んで形成されており、
隣り合う第１の入力端子間のピッチは、隣り合う第２の入力端子間のピッチ間の整数倍であることを特徴とする請求項１乃至７のうちいずれか１項に記載した電気光学パネル。
【請求項９】
請求項１乃至８のうちいずれか１項に記載した電気光学パネルと、
前記電源を供給する電源手段と、
前記入力信号を供給する信号生成手段と
を備えたことを特徴とする電気光学装置。
【請求項１０】
請求項９に記載した電気光学パネルと、
前記電源を供給する電源手段と、前記第１の入力信号と前記第２の入力信号を供給する信号生成手段とを備えた外部基板と、
前記外部基板と前記電気光学パネルとを接続するフレキシブル基板とを備え、
前記フレキシブル基板は、異方性導電膜を介して前記複数の電源端子及び前記複数の第１の入力端子と前記複数の第２の入力端子とを接続されることを特徴とする電気光学装置。
【請求項１１】
前記フレキシブル基板には、基準となる前記第２の丹生慮気宇端子間のピッチに対応して配線が形成されていることを特徴とする請求項１０に記載の電気光学装置。
【請求項１２】
基板上に複数のデータ線と、複数の走査線と、前記データ線と前記走査線との交差に対応して設けられた複数の画素からなる画像表示領域と、前記画素を駆動するための走査線駆動回路と、前記画素にデータ信号を供給するためのデータ線駆動回路と、前記走査線駆動回路と前記データ線駆動回路に信号を供給するための入力端子群を具備し、前記走査線駆動回路は前記基板上に前記基板の一辺に沿って配置され、前記データ線駆動回路は前記基板上に前記一辺に対向しない辺に沿って配置され、前記入力端子群は、前記データ線駆動回路に沿うとともに、前記データ線駆動回路よりも更に基板端側に配置されてなり、
前記入力端子群は、前記走査線駆動回路に駆動信号を供給するための第１の入力端子群と、前記データ線駆動回路に画像信号を供給するための第２の入力端子群とを有し、前記入力端子群のうち中央側に前記第２の入力端子が配置され、前記入力端子群のうち外側に前記第１の入力端子が配置され、前記第１の入力端子は前記第２の入力端子よりも面積が大きいことを特徴とする電気光学パネル。
【請求項１３】
前記データ線駆動回路に駆動信号を供給するための第４の入力端子を含み、前記第４の入力端子の面積は前記第１の入力端子と同等の面積を有するとともに、前記第４の入力端子は前記第１の入力端子と前記第２の入力端子との間に配置されていることを特徴とする請求項１２に記載の電気光学パネル。
【請求項１４】
請求項１乃至１３のうちいずれか１項に記載した電気光学装置を備えたことを特徴とする電子機器。
【発明の詳細な説明】
【技術分野】
【０００１】
本発明は、電気光学パネル、電気光学装置及び電子機器に関する。
【背景技術】
【０００２】
表示装置、例えば、電気光学材料として液晶を用いた液晶表示装置は、陰極線管（ＣＲＴ）に代わるディスプレイデバイスとして、各種情報処理機器の表示部や液晶テレビなどに広く用いられている。
【０００３】
ここで、従来の電気光学装置は、例えば、次のように構成されている。すなわち、従来の電気光学装置は、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との間に充填された電気光学材料たる液晶とを備える。画素は、スイッチング素子、画素電極、電気光学材料及び対向電極によって構成され、マトリクス状に配置される。このような構成において、走査線を介してスイッチング素子に走査信号を印加すると、当該スイッチング素子が導通状態となる。この導通状態の際に、データ線を介して画素電極に、階調に応じた電圧の画像信号を印加すると、当該画素電極および対向電極の間の液晶層に画像信号の電圧に応じた電荷が蓄積される。電荷蓄積後、当該スイッチング素子をオフ状態としても、当該液晶層における電荷の蓄積は、液晶層自身の容量や蓄積容量などによって維持される。このように、各スイッチング素子を駆動させ、蓄積させる電荷量を階調に応じて制御すると、画素毎に液晶の配向状態が変化するので、画素毎に濃度が変化することになる。このため、階調表示することが可能となるのである。
【０００４】
このような電気光学装置は、上述した画素がマトリクス状に配置される電気光学パネルを備える。電気光学パネルには、走査線を駆動する走査線駆動回路、あるいはデータ線を駆動するデータ線駆動回路が形成されることがある。駆動回路を備えた電気光学パネルには、電源、駆動信号、及び画像信号等が供給される。電源等を電気光学パネルに供給する手段として、電気光学パネルに形成された入力端子と接続ケーブルとしてのフレキシブル基板と異方性導電膜を介して接続する技術が知られている（例えば、特許文献１）。
【０００５】
【特許文献１】特許第２８２２５５８号公報
【発明の開示】
【発明が解決しようとする課題】
【０００６】
ところで、入力端子の抵抗は、その面積が大きい程小さくなるため、抵抗値を低減する観点からは入力端子の大きさは大きいことが望ましい。しかしながら、接触抵抗を低減する観点から、入力端子の面積を大きくすると、限られた面積の中に全ての入力端子を配置することができないといった問題があった。
【０００７】
特に、データ線駆動回路を内蔵しないタイプの電気光学パネル、又はマルチプレクサを内蔵するタイプの電気光学パネルにおいては、複数の画像信号を電気光学パネルに取り込む必要があるため、入力端子の数が多くなる。これに伴って、フレキシブル基板等を実装した際に、接続不良等の問題が発生していた。一方、実装エリアを狭くする観点から、入力端子の面積を小さくすると、接触抵抗が増加し、駆動信号が正規のタイミングで入力できないという問題があった。
【０００８】
そこで、本発明は、フレキシブル基板等の実装部品を高い信頼性の下に接続することができ、且つ、信号の伝送に必要な帯域を確保することが可能な電気光学パネル及び電気光学装置、並びにこれらを用いた電子機器を提供することを解決課題とする。
【課題を解決するための手段】
【０００９】
上述した課題を解決するため、本発明に係る電気光学パネルは、複数のデータ線、複数の走査線、及び前記データ線と前記走査線との交差に対応して設けられた複数の画素と、第１の入力信号が供給される第１の入力端子と、第２の入力信号が供給される第２の入力端子と、前記第１及び第２の入力信号に基づいて前記画素の階調を制御する駆動回路とを備えた電気光学パネルであって、前記第１の入力信号は前記第２の入力信号に比べて高域周波数成分を含み、且つ前記第１の入力端子は前記第２の入力端子よりも面積が大きいことを特徴とする。
【００１０】
一般に、端子の入力抵抗は、面積に比例する。従って、面積が大きい入力端子程、入力抵抗値が低くなる。なお、入力抵抗値には、実装部材を接続する場合の接触抵抗値が含まれる。
【００１１】
この発明によれば、入力信号の伝送特性に応じて、入力端子の面積を相違させることができるので、時定数が大きくても信号を十分伝送することが可能な入力端子の面積を小さくする一方、時定数が小さい特性が要求される入力信号が供給される入力端子については、大きな面積を確保することが可能となる。この場合、前記複数の入力信号が供給される前記入力端子の面積は、前記入力信号の周波数特性に応じて設定されることが好ましい。高い周波数成分を含む入力信号については、時定数を小さく設定することにより、当該入力信号の波形をなまらずに取り込むことができ、比較的低い周波数成分から構成される入力信号については、時定数が大きくても問題が無いので、入力端子の面積を小さくすることが可能である。
【００１２】
より具体的には、前記複数の入力信号は、複数の駆動信号と複数の画像信号とを含み、前記複数の駆動信号の周波数特性は、前記複数の画像信号の周波数特性と比較して、高域の周波数成分を含み、前記複数の駆動信号が供給される第１の入力端子の面積は、前記複数の画像信号が供給される第２の入力端子の面積よりも大きいことが好ましい。この場合には、駆動信号の波形をなまらせずに電気光学パネルに取り込むことによって、画像の表示の誤動作を防止できる一方、画像信号の入力端子の面積を小さくすることができるので、限られた面積に多数の入力端子を配置することができる。このように、入力信号の周波数特性に着目して、入力端子の面積を割り当てることによって、限られた面積に中に入力端子を適切に配置することが可能となる。
上述した電気光学パネルは、基板上に前記第１の入力端子、前記第２の入力端子が列状に形成されてなり、前記第２の入力端子が前記基板上の中央側に、前記第１の入力端子が前記基板上の外側に設けることが好ましい。各端子とＡＣＦの接続の際には熱と圧力を加えるため、ＡＣＦは中央側よりも外側のほうがＡＣＦの伸び率が大きくなる傾向がある。そのため面積の広い入力端子を面積の狭い入力端子よりも外側に設ければ、収縮率の異なりにより、接続のわずかなずれが生じても大きな入力端子であれば接続不良を防ぐことができる。
さらに、電源が供給される第３の入力端子である電源端子を含み、前記第３の入力端子の面積は、前記第１の入力端子と同等あるいは前記第１の入力端子の面積よりも大きいことが好ましい。一般に電源端子に入力される電源は抵抗が高いと電圧がトラップして所定の電圧が得られなくなる可能性が高い。そのため、電源はできるだけ抵抗を低くすることが好ましい。そのために、上述したパネルにおいて、電源が供給される電源端子は駆動信号が供給される入力端子と同等もしくはそれ以上の面積とすることが好ましい。このような構成にすることにより、抵抗を下げることができ所定の電圧を供給することが可能となる。また、電源端子は、できるだけ大きいほうが低抵抗化にすることができるため、第１の入力端子あるいは第２の入力端子の隣り合う複数の端子を用いて構成することでもよい。このようにすれば、入力端子の面積を増大することができ、抵抗を下げることが可能となる。
【００１３】
上述した電気光学パネルにおいて、電源が供給される電源端子、前記第１の入力端子、前記第２の入力端子をそれぞれ複数含み、前記複数の電源端子、前記複数の第１の入力端子及び前記複数の第２の入力端子が、基板上に列状に並んで形成されており、
隣り合う第１の入力端子間のピッチは、隣り合う第２の入力端子間のピッチの整数倍とすることが好ましい。
この発明によれば、実装部材を複数の電源端子及び複数の入力端子に実装する場合に、実装部材の収縮率の見積もりが容易となり、実装不良を未然に防止することができる。
さらに、本発明は、基板上に複数のデータ線と、複数の走査線と、前記データ線と前記走査線との交差に対応して設けられた複数の画素からなる画像表示領域と、前記画素を駆動するための走査線駆動回路と、前記画素にデータ信号を供給するためのデータ線駆動回路と、前記走査線駆動回路と前記データ線駆動回路に信号を供給するための入力端子群を具備し、前記走査線駆動回路は前記基板上に前記基板の一辺に沿って配置され、前記データ線駆動回路は前記基板上に前記一辺に対向しない辺に沿って配置され、前記入力端子群は、前記データ線駆動回路に沿うとともに、前記データ線駆動回路よりも更に基板端側に配置されてなり、前記入力端子群は、前記走査線駆動回路に駆動信号を供給するための第１の入力端子群と、前記データ線駆動回路に画像信号を供給するための第２の入力端子群とを有し、前記入力端子群のうち中央側に前記第２の入力端子が配置され、前記入力端子群のうち外側に前記第１の入力端子が配置され、前記第１の入力端子は前記第２の入力端子よりも面積が大きいことを特徴とする。
このような構成とすることにより、第２の入力端子からデータ線駆動回路までの配線、第１の入力端子から走査線駆動回路までの配線をそれぞれ交差させないことが可能となり、また配線を引き回さないため、配線抵抗や寄生容量の発生を抑えることができる。また高域周波数成分を有する駆動信号の入力端子をそれよりも低域の周波数成分を有する画像信号の入力端子よりも面積を大きくしてあるため、接触抵抗を小さくすることができ、信号のなまりを防ぐことができる。また、面積の大きな入力端子を面積の小さい入力端子よりも外側に配置している。入力端子とＡＣＦ等との接続において、一般にＡＣＦは中央より外側において伸び率が大きくなる傾向であるが、外側の入力端子の面積を大きくしておけば、たとえ伸び率の違いによりずれが生じても接続不良を防ぐことができる。
さらに、データ線駆動回路に駆動信号を供給するための第４の入力端子を含み、前記第４の入力端子の面積は前記第１の入力端子と同等の面積を有するとともに、前記第４の入力端子は前記第１の入力端子と前記第２の入力端子との間に配置されていることが好ましい。
このように、大きな面積の端子をできるだけまとめて基板の周辺側に設けることにより、実装不良を防ぐことができる。
【００１４】
次に、本発明に係る電気光学装置は、上述した電気光学パネルと、前記電源を供給する電源手段と、前記第１の入力信号及び第２の入力信号を供給する信号生成手段とを備えたことを特徴とする。この電気光学装置は上述した電気光学パネルを備えるので、フレキシブル基板等の実装部品を高い信頼性の下に接続することができ、且つ、信号の伝送に必要な帯域を確保することが可能となる。
【００１５】
また、本発明に係る電気光学装置は、前記電源を供給する電源手段と、前記入力信号を供給する信号生成手段とを備えた外部基板と、前記外部基板と前記電気光学パネルとを接続するフレキシブル基板とを備え、前記フレキシブル基板は、異方性導電膜を介して前記複数の電源端子及び前記複数の第１入力端子及び第２の入力端子と接続されることが好ましい。
【００１６】
ここで、前記フレキシブル基板には、基準となる前記第２の入力端子間のピッチの間隔に対応して配線が形成されていることが好ましい。幅の異なる端子が混在する端子群に対して各配線を確実に接続することができる。そして、面積の広い端子に対しては、複数の配線が割り当てられるから、接触抵抗と配線抵抗を低減することができる。
【００１７】
次に、本発明に係る電子機器は上述した電気光学装置を備える。このような電子機器としては、液晶プロジェクタ、パーソナルコンピュータ、携帯電話、電子カメラ、ＰＤＡ等が該当する。
【００１８】
このように本発明によれば、フレキシブル基板等の実装部品を高い信頼性の下に接続することができ、且つ、信号の伝送に必要な帯域を確保することが可能な電気光学パネル及び電気光学装置、並びにこれらを用いた電子機器を提供することができる。
【発明を実施するための最良の形態】
【００１９】
以下、図面を参照して、本発明に係わる実施形態を説明する。なお、本実施形態では、電気光学材料として液晶を用いた液晶パネルを電気光学パネルの一例とし、液晶パネルを用いた液晶表示装置を電気光学装置の一例として説明するが、本発明はこれに限定されるものではなく、有機発光ダイオード素子を備える有機ＥＬパネル等も電気光学パネルに含まれることは勿論である。
【００２０】
＜１．液晶パネルの機械的構成＞
まず、第１実施形態に係わる液晶パネルＡＡの機械的構成について図１及び図２を参照して説明する。ここで、図１は、液晶パネルＡＡの構成を示す斜視図であり、図２は、図１におけるＺ−Ｚ’線断面図である。
【００２１】
これらの図に示されるように、液晶パネルＡＡは、画素電極６等が形成されたガラスや半導体等の素子基板１５１と、共通電極１５８等が形成されたガラス等の透明な対向基板１５２とを、スペーサ１５３が混入されたシール材１５４によって一定の間隙を保って、互いに電極形成面が対向するように貼り合わせるとともに、この間隙に電気光学材料としての液晶１５５を封入した構造となっている。なお、シール材１５４は、対向基板１５２の基板周辺に沿って形成されるが、液晶１５５を封入するために一部が開口している。このため、液晶１５５の封入後に、その開口部分が封止材１５６によって封止されている。
【００２２】
ここで、素子基板１５１の対向面であって、シール材１５４の外側一辺においては、端子群１０が形成されている。端子群１０は、複数の入力端子２０から構成される。複数の入力端子２０の一部には、画像信号が供給され、Ｙ方向に延在するデータ線３を駆動する構成となっている。さらに、この一辺には端子群１０が形成されている。また、この一辺に隣接する一辺には、走査線駆動回路１００が形成されて、Ｘ方向に延在する走査線２をそれぞれ両側から駆動する構成となっている。
【００２３】
端子群１０は、異方性導電フィルムを介して電気的および機械的に実装部材と接続される。この例の実装部材は、接続ケーブルとしてのフレキシブル基板と外部基板とを含む。
対向基板１５２の共通電極１５８は、素子基板１５１との貼合部分における４隅のうち、少なくとも１箇所において設けられた導通材によって、素子基板１５１との電気的導通が図られている。ほかに、対向基板１５２には、液晶パネルＡＡの用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネルＡＡに光を照射するバックライトが設けられる。特に色光変調の用途の場合には、カラーフィルタは形成されずにブラックマトリクスが対向基板１５２に設けられる。
【００２４】
くわえて、素子基板１５１および対向基板１５２の対向面には、それぞれ所定の方向にラビング処理された配向膜などが設けられる一方、その各背面側には配向方向に応じた偏光板（図示省略）がそれぞれ設けられる。ただし、液晶１５５として、高分子中に微小粒として分散させた高分子分散型液晶を用いれば、前述の配向膜、偏光板等が不要となる結果、光利用効率が高まるので、高輝度化や低消費電力化などの点において有利である。
【００２５】
なお、走査線駆動回路１００等の周辺回路の一部または全部を、素子基板１５１に形成する替わりに、例えば、ＴＡＢ（Tape Automated Bonding）技術を用いてフィルムに実装された駆動用ＩＣチップを、素子基板１５１の所定位置に設けられる異方性導電フィルムを介して電気的および機械的に接続する構成としても良いし、駆動用ＩＣチップ自体を、ＣＯＧ（Chip On Grass）技術を用いて、素子基板１５１の所定位置に異方性導電フィルムを介して電気的および機械的に接続する構成としても良い。
【００２６】
＜２．液晶パネルの電気的構成＞
図３は、液晶パネルの電気的構成を示すブロック図である。この図に示すように液晶パネルＡＡは、走査線駆動回路１００、画像表示領域Ａ、及び端子群１０を備える。端子群１０は、第１端子群１０Ａ、第２端子群１０Ｂ、第３端子群１０Ｃを備える。第１端子群１０Ａ及び第３端子群１０Ｃには、走査線駆動回路１００を駆動するため各駆動信号及び電源が供給される。即ち、第１端子群１０Ａ及び第３端子群１０Ｃを構成する一部の入力端子２０は、電源（第３の入力信号）が供給される電源端子として機能してもよい。一方、第２端子群１０Ｂには画像信号が供給される。電源端子は、抵抗が高いと電圧トラップにより所定の電圧が得られなくなくなるため、できるだけ抵抗を低くしておいたほうがよい。そのため、電源端子は第１端子群と同等の面積あるいはそれ以上の面積を有する端子とすることが好ましい。さらに、電源端子は、第１の端子群あるいは第２の端子群の隣り合う２つの端子の両方をまたがって２つ以上により構成すれば抵抗をさらに抑えることができる。また電源端子は基板上の駆動信号の入力端子よりもさらに外側に、つまり基板端に沿って一列に配列された入力端子群は、中央側に画像信号の入力端子を設け、外側に向かって駆動回路の入力端子、そして電源端子の順に設けることが好ましい。
【００２７】
この例において、液晶パネルＡＡには、電源の他に入力信号として駆動信号（第１の入力信号）と画像信号（第２の入力信号）とが供給される。このうち、駆動信号は、Ｙ転送開始パルスＤＹ、Ｙクロック信号ＹＣＫ及び反転Ｙクロック信号ＹＣＫＢ等を含む。これらの駆動信号の周波数特性は、画像信号の周波数特性と比較して、高域の周波数成分を含む。従って、走査線駆動回路１００を正常に動作させるためには、駆動信号がなまらないように伝送する必要がある。駆動信号は、フレキシブル基板を介して伝送されるが、この伝送路には、分布容量や分布抵抗が存在し、等価的にローパスフィルタが構成される。従って、駆動信号の信号波形がなまらないように伝送するためには、等価的なローパスフィルタの時定数を下げる必要がある。分布抵抗のうち、入力端子２０で発生する接触抵抗の割合は、大きく無視することはできない。接触抵抗は入力端子２０の面積が大きくなる程、小さくなる。そこで、本実施形態においては、画像信号が供給される入力端子と比較して駆動信号が供給される入力端子の面積を大きくしている。具体的には、第１及び第３端子群１０Ａ及び１０Ｃを構成する入力端子２０は、第２端子群１０Ｂを構成する入力端子２０よりも面積が大きい。
【００２８】
換言すれば、入力信号が供給される複数の入力端子２０は、入力抵抗値の異なる複数種類の入力端子２０を含み、各入力信号の伝送するために必要とされる伝送特性に応じて、各入力信号が供給される入力端子２０の種類が定められている。これにより、比較的高い周波数成分を有する駆動信号を正確に伝送するとともに、比較的低い周波数成分を有する画像信号が供給される第２端子群１０Ｂを構成する入力端子２０の面積を第１端子群１０Ａ及び第３端子群１０Ｃを構成する入力端子２０の面積よりも小さくすることにより、限られた面積の中に必要とされる数の入力端子２０を配置することが可能となる。
【００２９】
次に、走査線駆動回路１００は、シフトレジスタ等を備える。走査線駆動回路１００には、Ｙ転送開始パルスＤＹ、Ｙクロック信号ＹＣＫ及び反転Ｙクロック信号ＹＣＫＢ、高電位電源ＶＨＨ及び低電位電源ＶＳＳが供給される。図３において、左側の走査線駆動回路１００には第１端子群１０Ａから駆動信号及び電源が供給される一方、右側の走査線駆動回路１００には第３端子群１０Ｃから駆動信号及び電源が供給される。
【００３０】
走査線駆動回路１００は、シフトレジスタを用いてＹクロック信号ＹＣＫおよび反転Ｙクロック信号ＹＣＫＢに同期して、Ｙ転送開始パルスＤＹを順次転送し、さらにレベル変換を行って走査信号Ｙ１、Ｙ２、…、Ｙｍを生成し、各走査線２に出力する。
【００３１】
次に、画像表示領域Ａには、図３に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極（後述する）と、これら両電極間に挟持された液晶とによって構成される。この結果、走査線２とデータ線３との各交差に対応して、画素はマトリクス状に配列されることとなる。
【００３２】
また、ＴＦＴ５０のゲートが接続される各走査線２には、走査信号Ｙ１、Ｙ２、…、Ｙｍが、パルス的に線順次で印加されるようになっている。このため、ある走査線２に走査信号が供給されると、当該走査線に接続されるＴＦＴ５０がオンするので、データ線３から所定のタイミングで供給されるデータ線信号Ｘ１、Ｘ２、…、Ｘｎ（画像信号）は、対応する画素に順番に書き込まれた後、所定の期間保持されることとなる。
【００３３】
各画素に印加される電位レベルに応じて液晶分子の配向や秩序が変化するので、光変調による階調表示が可能となる。例えば、液晶を通過する光量は、ノーマリーホワイトモードであれば、印加電位が高くなるにつれて制限される一方、ノーマリーブラックモードであれば、印加電位が高くなるにつれて緩和されるので、液晶表示装置全体では、画像信号に応じたコントラストを持つ光が各画素毎に出射される。このため、所定の表示が可能となる。
【００３４】
＜３．端子群１０とフレキシブル基板Ｂとの関係＞
次に、端子群１０とフレキシブル基板Ｂとの詳細な構成について説明する。図４は、端子群１０とフレキシブル基板Ｂとの接続に係る構成を示す平面図である。上述したように端子群１０は、面積の異なる２種類の入力端子２０から構成されている。この例では、第２端子群１０Ｂを構成する入力端子２０の面積が最も小さく、また、入力端子２０間のピッチが最小となる。本実施形態においては、面積の異なる複数種類の入力端子２０（電源端子を含む）のうち、面積が最小の端子間のピッチを基準ピッチＰＴｒｅｆと称する。この例では、第２端子群１０Ｂを構成する入力端子２０の面積が最小であるから、第２端子群１０Ｂを構成する入力端子２０の間隔が基準ピッチＰＴｒｅｆとなる。
【００３５】
一方、第１端子群１０Ａ及び第３端子群１０Ｃを構成する入力端子２０のピッチは等しい。このピッチを第１ピッチＰＴ１と称する。さらに、第１ピッチＰＴ１は基準ピッチＰＴｒｅｆの整数倍となるように設定することが好ましい。フレキシブル基板Ｂと端子群１０の接続は異方性導電膜（ＡＣＦ：anisotropic conductive film）を介して行われる。
この際、熱と圧力とを加えるため、フレキシブル基板Ｂが収縮する。上述したように整数倍の関係に設定すると、フレキシブル基板Ｂ等の実装部材を端子群１０に実装する場合に、実装部品の収縮率の見積もりが容易となり、実装不良を未然に防止することができる。また、ＡＣＦの接続の際には熱と圧力を加えるため、ＡＣＦは中央よりも外側のほうがＡＣＦの伸び率が大きくなる傾向がある。そのため面積の広い入力端子を面積の狭い入力端子よりも外側に設ければ、たとえ収縮率の異なりによる接続のわずかなずれが生じても大きな入力端子であれば接続不良を防ぐことができる。よって、基板の中央側にピッチが狭くて面積の狭い入力端子、その外側にピッチの広くて面積の大きな入力端子を設けることがよい。
【００３６】
また、フレキシブル基板Ｂには、配線Ｌが基準ピッチＰＴｒｅｆの間隔で形成されている。これによって、幅の異なる入力端子２０が混在する端子群１０に対して各配線Ｌを確実に接続することができる。そして、面積の広い入力端子２０に対しては、２本の配線Ｌが割り当てられるから、接触抵抗と配線抵抗を低減することができる。
【００３７】
＜４．液晶表示装置の全体構成＞
図５に液晶表示装置の全体構成を示す。外部基板Ｃは、フレキシブル基板Ｃを介して液晶パネルＡＡに接続されている。外部基板Ｃは、データ線駆動回路２００、タイミング発生回路３００、画像処理回路４００、及び電源回路５００を備える。この液晶表示装置に供給される入力画像データＤは、例えば、３ビットパラレルの形式である。タイミング発生回路３００は、入力画像データＤに同期してＹクロック信号ＹＣＫ、反転Ｙクロック信号ＹＣＫＢ、Ｘクロック信号ＸＣＫ、反転Ｘクロック信号ＸＣＫＢ、Ｙ転送開始パルスＤＹおよびＸ転送開始パルスＤＸを生成する。また、タイミング発生回路３００は、画像処理回路４００を制御する各種のタイミング信号を生成し、これを出力する。
【００３８】
Ｙクロック信号ＹＣＫは、走査線２を選択する期間を特定し、反転Ｙクロック信号ＹＣＫＢはＹクロック信号ＹＣＫの論理レベルを反転したものである。Ｘクロック信号ＸＣＫは、データ線３を選択する期間を特定し、反転Ｘクロック信号ＸＣＫＢはＸクロック信号ＸＣＫの論理レベルを反転したものである。
【００３９】
画像処理回路４００は、入力画像データＤに、液晶パネルＡＡの光透過特性を考慮したガンマ補正等を施した後、画像データをデータ線駆動回路２００に供給する。データ線駆動回路２００は、Ｘクロック信号ＸＣＫ及び反転Ｘクロック信号ＸＣＫＢに同期してＸ転送開始パルスＤＸを順次転送してサンプリング信号を生成し、生成したサンプリング信号を用いて画像データをサンプリングして、線順次の画像データを生成し、さらにＤ／Ａ変換を施して、線順次の画像信号を生成する。この画像信号はフレキシブル基板Ｃを介して液晶パネルＡＡに供給される。
【００４０】
電源回路５００は、走査線駆動回路１００に高電位電源ＶＤＤ及び低電位電源ＶＳＳを供給する他、タイミング発生回路３００及び画像処理回路４００に所定の電源を供給する。以上の構成において、データ線駆動回路２００、タイミング発生回路３００、及び画像処理回路４００は、液晶パネルＡＡに入力信号を供給する信号生成手段として機能する。
【００４１】
＜５．応用例＞
＜５−１：端子群１０とフレキシブル基板Ｂとの関係＞
上述した実施形態においては、入力端子２０として面積が異なる２種類の端子を用いたが本発明はこれに限定されるものではなく、３種類以上の入力端子２０を備えるものであってもよい。図６は、応用例における端子群１０とフレキシブル基板Ｂとの接続に係る構成を示す平面図である。この例においては、第３端子群１０Ｃを構成する入力端子２０の面積が最小である。このため、第３端子群１０Ｃを構成する入力端子２０の間隔が基準ピッチＰＴｒｅｆとなる。第２端子群１０Ｂの入力端子２０は第２ピッチＰＴ２の間隔で形成されており、第１端子群１０Ａの入力端子２０は第１ピッチＰＴ１の間隔で形成されている。
【００４２】
この場合、ＰＴｒｅｆ、ＰＴ１、ＰＴ２には、２ＰＴｒｅｆ＝ＰＴ２、３ＰＴｒｅｆ＝ＰＴ１の関係がある。即ち、複数の電源端子及び複数種類の入力端子のうち、面積が最小の端子間のピッチを基準ピッチＰＴｒｅｆとしたとき、他の種類における入力端子間のピッチＰＴ１、ＰＴ２又は電源端子間のピッチＰＴ１、ＰＴ２は、基準ピッチＰＴｒｅｆの整数倍となる。
【００４３】
また、フレキシブル基板Ｂには、配線Ｌが基準ピッチＰＴｒｅｆの間隔で形成されている。これによって、幅の異なる入力端子２０が混在する端子群１０に対して各配線Ｌを確実に接続することができる。そして、面積の広い入力端子２０に対しては、２本又は３本の配線Ｌが割り当てられるから、接触抵抗と配線抵抗を低減することができる。
【００４４】
＜５−２：電気光学装置の第２実施形態＞
本発明の第２実施実施形態について図１０を用いて説明する。図１０は第２実施形態のブロック図であり、レイアウトを示す図である。第２実施形態は、上述の第１実施形態とほとんど同様な構成を有している。異なる点は、マルチプレクサ等のデータ線ドライバ回路の配置が含まれている点である。この構成では、基板の中央部に画像表示領域Ａを配置し、基板上の周辺の対向する２辺に沿って走査線駆動回路１００を配置し、基板の周辺であって走査線駆動回路１００が配置されていない１辺に沿ってデータ線駆動回路２００が配置され、さらにデータ線駆動回路２００より基板端側に各入力端子（駆動信号と画像信号のための入力端子）が配置されている。この実施形態では、入力端子１０Ａを介して走査線駆動回路１００に駆動信号１０Ａが入力され、入力端子１０Ｂを介してマルチプレクサ等のデータ線駆動回路２００に画像信号１０Ｂが入力される。入力端子１０Ａは入力端子１０Ｂに比べて面積が大きく、さらに基板端の中央側に入力端子１０Ｂを配置し、外側に入力端子１０Ａを配置されている。また、マルチプレクサの駆動信号（第４の入力信号）が入力される入力端子は、走査線駆動回路の駆動信号が入力される端子と同等の面積を有するように構成されている。さらに、マルチプレクサの駆動信号が入力される端子は画像信号が入力される端子よりも周辺側に配置し、特に走査線駆動回路の駆動信号が入力される端子と画像信号が入力される端子の間に配置すればよい。このような構成により、面積の大きな入力端子と面積の小さい入力端子とをそれぞれまとめて配置するため、ＡＣＦ等の接続不良を防ぐことができる。またこのような構成とすることにより、入力端子１０Ｂからデータ線駆動回路２００までの配線と、入力端子１０Ａから走査線駆動回路１００までの配線とをそれぞれ交差させないことが可能となる。また配線を引き回さないため、配線抵抗や寄生容量の発生を抑えることができる。
また、上述した実施の形態にあっては、画素のスイッチング素子を、ＴＦＴで代表される３端子素子として説明したが、ダイオード等の２端子素子で構成しても良い。ただし、画素のスイッチング素子として２端子素子を用いる場合には、走査線２を一方の基板に形成し、データ線３を他方の基板に形成するとともに、２端子素子を、走査線２またはデータ線３のいずれか一方と、画素電極との間に形成する必要がある。この場合、画素は、走査線２とデータ線３との間に直列接続された二端子素子と、液晶とから構成されることとなる。
【００４５】
また、本発明は、アクティブマトリクス型液晶表示装置として説明したが、これに限られず、ＳＴＮ（Super Twisted Nematic）液晶などを用いたパッシブ型にも適用可能である。さらに、電気光学材料としては、液晶のほかに、エレクトロルミネッセンス素子などを用いて、その電気光学効果により表示を行う表示装置にも適用可能である。すなわち、本発明は、上述した液晶装置と類似の構成を有するすべての電気光学装置に適用可能である。
【００４６】
また、上述した実施形態では、データ線駆動回路２００を外部基板Ｃに設けたが、フレキシブル基板Ｂ上に設けてもよい。さらに、液晶パネルＡＡの各データ線３の端部にマルチプレクサを設けてもよい。この場合には、液晶パネルＡＡに供給する画像信号の数を減らすことができるので、入力端子２０の数を低減できる。加えて、データ線駆動回路２００を液晶パネルＡＡに形成してもよい。
【００４７】
＜５−３：電子機器＞
次に、上述した液晶表示装置を各種の電子機器に適用される場合について説明する。
＜５−３−１：プロジェクタ＞
まず、この液晶装置をライトバルブとして用いたプロジェクタについて説明する。図７は、プロジェクタの構成例を示す平面図である。
【００４８】
この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４９】
液晶パネル１１１０Ｒ、１１１０Ｂおよび１１１０Ｇの構成は、上述した液晶パネルＡＡと同等であり、画像信号処理回路（図示省略）から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００５０】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００５１】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５２】
＜５−３−２：モバイル型コンピュータ＞
次に、この液晶パネルＡＡを、モバイル型のパーソナルコンピュータに適用した例について説明する。図８は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【００５３】
＜５−３−３：携帯電話＞
さらに、この液晶パネルＡＡを、携帯電話に適用した例について説明する。図９は、この携帯電話の構成を示す斜視図である。図において、携帯電話１３００は、複数の操作ボタン１３０２とともに、反射型の液晶パネル１００５を備えるものである。この反射型の液晶パネル１００５にあっては、必要に応じてその前面にフロントライトが設けられる。
【００５４】
なお、図７〜図９を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。パネル板は、電気光学材料として液晶の替わりに有機ＬＥＤを用いたもの、プラズマを用いたもの、無機エレクトロルミネッセンス素子を用いたものであってもよい。さらに、電子ペーパー等の電気泳動パネルにも適用することができる。
【図面の簡単な説明】
【００５５】
【図１】本発明の実施形態に係る液晶パネルＡＡの構成を示す斜視図である。
【図２】図２は、図１におけるＺ−Ｚ’線の断面図である。
【図３】第１実施形態の液晶パネルＡＡの電気的な構成を示すブロック図である。
【図４】実施形態に係る端子群１０とフレキシブル基板Ｂとの接続に係る構成を示す平面図である。
【図５】液晶表示装置の全体構成を示すブロック図である。
【図６】応用例に係る端子群１０とフレキシブル基板Ｂとの接続に係る構成を示す平面図である。
【図７】同液晶表示装置を適用した電子機器の一例たるビデオプロジェクタの断面図である。
【図８】同液晶表示装置を適用した電子機器の一例たるパーソナルコンピュータの構成を示す斜視図である。
【図９】同液晶表示装置を適用した電子機器の一例たる携帯電話の構成を示す斜視図である。
【図１０】第２実施形態の液晶パネルの構成を示すブロック図である。
【符号の説明】
【００５６】
２…走査線、３…データ線、１００…走査線駆動回路、２００…データ線駆動回路、１０…端子群、ＰＴｒｅｆ…基準ピッチ、ＰＴ１、ＰＴ２…第１ピッチ，第２ピッチ、ＡＡ…液晶パネル、Ｂ…フレキシブル基板、Ｃ…外部基板。
【図１】
2005092185.tif 000003
【図２】
2005092185.tif 000004
【図３】
2005092185.tif 000005
【図４】
2005092185.tif 000006
【図５】
2005092185.tif 000007
【図６】
2005092185.tif 000008
【図７】
2005092185.tif 000009
【図８】
2005092185.tif 000010
【図９】
2005092185.tif 000011
【図１０】
2005092185.tif 000012